(57)【要約】【課題】小型化および低コスト化という要求に応えつつ、１つの振動モータで３次元方向の振動を発生させる。【解決手段】回転軸40に偏心ウエイト50を取り付ける。軸受部30a,30bにより回転軸を回転可能かつ軸方向に往復移動可能に軸支する。回転軸を軸方向に往復移動させるスライド手段を備える。スライド手段は、回転軸に固定されたスライド用コイル60と、スライド用マグネット70とから構成したり、回転軸から周面外方へ向かって突出するカムピンと、カムピン先端部が嵌り込んで摺動するカム溝とから構成したり、回転軸の一端側に向かって突出する突起体と、突起体の先端部が押し当てられるとともに、回転軸が回転した際に突起体の移動軌跡に沿って傾斜する傾斜面を有する摺動部材と、突起体を摺動部材に押し当てる方向に付勢する付勢部材とから構成する。【選択図】          図１
2005334697.tif 000002
【特許請求の範囲】
【請求項１】
回転軸に偏心ウエイトを取り付けた振動モータにおいて、
前記回転軸を回転可能かつ軸方向に往復移動可能に軸支する軸支手段と、
前記回転軸を軸方向に往復移動させるスライド手段とを備えてなることを特徴とする振動モータ。
【請求項２】
前記スライド手段は、
前記回転軸または前記回転軸を軸回り方向に囲む位置のいずれか一方に設けられたスライド用コイルと、
前記回転軸または前記回転軸を軸回り方向に囲む位置のいずれか他方に設けられたスライド用マグネットとを備えてなり、
前記スライド用コイルへの通電を制御することにより、前記スライド用コイルと前記スライド用マグネットとの間に反発力あるいは吸引力を発生させて、前記回転軸を軸方向に往復移動させることを特徴とする請求項１記載の振動モータ。
【請求項３】
前記スライド手段は、
前記回転軸から周面外方へ向かって突出するカムピンと、
前記回転軸を軸回り方向に囲む位置に設けられ、前記カムピンの先端部が嵌り込んで摺動するカム溝とを備えてなり、
前記回転軸の回転に伴って前記カムピンが前記カム溝内を移動することにより、前記回転軸を軸方向に往復移動させることを特徴とする請求項１記載の振動モータ。
【請求項４】
前記スライド手段は、
前記回転軸に固定され、該回転軸の一端側に向かって突出する突起体と、
前記突起体の先端部が押し当てられるとともに、前記回転軸が回転した際に該突起体の移動軌跡に沿って傾斜する傾斜面を有する摺動部材と、
前記突起体を前記摺動部材に押し当てる方向に付勢する付勢部材とを備え、
前記回転軸の回転に伴って前記突起体の先端部が前記摺動部材の傾斜面を倣うことにより、前記回転軸を軸方向に往復移動させることを特徴とする請求項１記載の振動モータ。
【発明の詳細な説明】
【技術分野】
【０００１】
本発明は、振動モータに関し、さらに詳しくは、携帯電話、ゲーム機、時計等に使用されて、振動をシグナルとして伝達するための振動モータに関する。
【背景技術】
【０００２】
従来、携帯電話のマナーモードにおいて着信を振動で報知したり、ゲームの状況に合わせてコントローラを振動させたりする振動モータが種々開発されている（例えば、特許文献１および特許文献２参照）。
【０００３】
このような従来の振動モータでは、モータの回転軸に偏心ウエイトが取り付けられており、回転軸の軸回りの重量が不釣り合いとなって振動が発生する。この振動はモータの回転軸に対してラジアル方向のものであり、換言すれば２次元方向にのみ振動するものである。
【０００４】
【特許文献１】特開２００２−２９１１９８号公報
【特許文献２】特開２０００−２６２９６９号公報
【発明の開示】
【発明が解決しようとする課題】
【０００５】
ところで、携帯電話をマナーモードに設定して携行する際には、着信を報知する振動を感知し易いように、衣服のポケット等に収納することが一般的である。
【０００６】
しかし、従来の振動モータは２次元方向の振動のみを発生するため、ポケットへの収納状態によっては、振動を感知することができない場合もあった。すなわち、ポケット内に収納された携帯電話が、身体に対して略平行方向に振動する状態であった場合には、携帯電話が振動したとしてもその振動が身体に伝わらずに、着信を感知できないことがあった。
【０００７】
このような不都合に対処するためには、携帯電話を３次元方向に振動させればよい。すなわち、図７に示すように、基板１４０に対して、互いに直交する方向に２つの振動モータ４１０，５１０を取り付け、第１の振動モータ４１０によりＸ−Ｚ方向に振動を発生させ、第２の振動モータ５１０によりＹ−Ｚ方向に振動を発生させることができ、これにより基板１４０（携帯電話）が３次元方向に振動する。
【０００８】
しかし、近年の携帯電話は、さらなる小型化および薄型化の要求があり、振動モータ自体も小型化を図らなければならない。また、たとえ小型化を図った振動モータを用いたとしても、３次元方向の振動を発生させるために２つの振動モータを用いたのでは、結局、上述した要求に応えることができない。さらに、部品点数が増加するため、低コスト化を図ることも困難であった。
【０００９】
本発明は、上述した事情に鑑み提案されたもので、小型化および低コスト化という要求に応えつつ、３次元方向の振動を発生させることが可能な振動モータを提供することを目的とする。
【課題を解決するための手段】
【００１０】
本発明の振動モータは、上述した目的を達成するため、回転軸に偏心ウエイトを取り付けた振動モータにおいて、
前記回転軸を回転可能かつ軸方向に往復移動可能に軸支する軸支手段と、
前記回転軸を軸方向に往復移動させるスライド手段とを備えてなることを特徴とするものである。
【００１１】
ここで、前記スライド手段は、
前記回転軸または前記回転軸を軸回り方向に囲む位置のいずれか一方に設けられたスライド用コイルと、
前記回転軸または前記回転軸を軸回り方向に囲む位置のいずれか他方に設けられたスライド用マグネットとを備えて構成することが可能である。
【００１２】
このような構成からなる振動モータは、前記スライド用コイルへの通電を制御することにより、前記スライド用コイルと前記スライド用マグネットとの間に反発力あるいは吸引力を発生させて、前記回転軸を軸方向に往復移動させることができる。
【００１３】
また、前記スライド手段は、
前記回転軸から周面外方へ向かって突出するカムピンと、
前記回転軸を軸回り方向に囲む位置に設けられ、前記カムピンの先端部が嵌り込んで摺動するカム溝とを備えて構成することが可能である。
【００１４】
このような構成からなる振動モータは、前記回転軸の回転に伴って前記カムピンが前記カム溝内を移動することにより、前記回転軸を軸方向に往復移動させることができる。
【００１５】
また、前記スライド手段は、
前記回転軸に固定され、該回転軸の一端側に向かって突出する突起体と、
前記突起体の先端部が押し当てられるとともに、前記回転軸が回転した際に該突起体の移動軌跡に沿って傾斜する傾斜面を有する摺動部材と、
前記突起体を前記摺動部材に押し当てる方向に付勢する付勢部材とを備えて構成することが可能である。
【００１６】
このような構成からなる振動モータは、前記回転軸の回転に伴って前記突起体の先端部が前記摺動部材の傾斜面を倣うことにより、前記回転軸を軸方向に往復移動させることができる。
【発明の効果】
【００１７】
本発明の振動モータによれば、回転軸に取り付けた偏心ウエイトにより回転軸と直交する平面方向に振動を発生させ、スライド手段により回転軸方向に振動を発生させることができる。すなわち、複数の振動モータを用いることなく１つの振動モータにより３次元方向の振動を発生させることができ、小型化および低コスト化を図ることが可能となる。
【発明を実施するための最良の形態】
【００１８】
以下、図面を参照して、本発明の振動モータの実施形態を説明する。
【００１９】
本発明の実施形態に係る振動モータは、図４に示す円筒型モータおよび図５に示すボタン型モータ等に適用することができる。
【００２０】
図４に示す円筒型モータは、ハウジング２０に対して、回転軸４０を回転可能かつ軸方向に往復移動可能に軸支し、回転軸４０の一端部に偏心ウエイト５０を取り付けたものである。
【００２１】
図５に示すボタン型モータは、ハウジング２２０に対して、回転軸２４０を回転可能かつ軸方向に往復移動可能に軸支し、回転軸２４０の一端部に偏心ウエイト２５０を取り付けたものである。
【００２２】
以下、本発明を円筒型モータに適用した場合の具体的な実施例について説明する。
【００２３】
＜実施例１＞
図１は、本発明の実施例１に係る振動モータ１０の概略構造を示す模式図である。なお、図１では、回転軸４０、偏心ウエイト５０、回転軸４０を回転可能かつ軸方向に往復移動可能に軸支する軸支手段、および回転軸４０を軸方向に往復移動させるスライド手段のみを模式的に示し、振動モータ１０を構成するコイル、マグネット、および電力供給手段等は図示を省略しているが、コイル、マグネット、および電力供給手段等は、周知の技術手段を用いて構成することができる（実施例２および実施例３においても同様）。
【００２４】
実施例１に係る振動モータ１０は、図１に示すように、ハウジング２０の両端部に設けた一対の軸受部３０ａ，３０ｂにより、回転軸４０が回転可能かつ軸方向に往復移動可能に軸支されており、ハウジング２０の一端から突出した回転軸４０に偏心ウエイト５０が取り付けられている。
【００２５】
また、回転軸４０にスライド用コイル６０が固定されており、ハウジング２０の内面には、スライド用コイル６０に対向する位置にスライド用マグネット７０が配設されている。
【００２６】
スライド用コイル６０は、図示しない電力供給手段から駆動電力の供給を受けており、この駆動電力は周期的に変動するように制御されている。すなわち、電力供給手段はマイクロコンピュータ等からなる制御手段を有しており、所定の周期でスライド用コイル６０に供給する電力が変動するような制御を行う。
【００２７】
これにより、スライド用マグネット７０の極性とスライド用コイル６０の極性が一致する場合には、スライド用マグネット７０とスライド用コイル６０が互いに反発して、回転軸４０が例えば図中右方向に移動し、スライド用マグネット７０の極性とスライド用コイル６０の極性が相違する場合には、スライド用マグネット７０とスライド用コイル６０が互いに引き付け合って、回転軸４０が例えば図中左方向に移動する。
【００２８】
したがって、偏心ウエイト５０が回転することにより発生する振動と、回転軸４０が軸方向に往復移動することにより発生する振動とが合成され、振動モータ１０全体として３次元方向の振動が発生することになる。
【００２９】
なお、図１に示す例では、スライド用マグネット７０およびスライド用コイル６０がハウジング２０内に収容されているが、これらの部材をハウジング２０の外部に配設することもできる。また、回転軸４０にスライド用マグネット７０を固定し、ハウジング２０の内面に、スライド用マグネット７０に対向するようにして、スライド用コイル６０を配設してもよい。
【００３０】
＜実施例２＞
図２は、本発明の実施例２に係る振動モータ２１０の概略構造を示す模式図であり、図２（ａ）は、回転軸４０、偏心ウエイト５０、およびカムピン８０等の部材を示したものであり、図２（ｂ）は、ハウジング２０の内面に設けたカム溝９０を示すものである。
【００３１】
実施例２に係る振動モータ２１０は、図２（ａ）、（ｂ）に示すように、ハウジング２０の両端部に設けた一対の軸受部３０ａ，３０ｂにより、回転軸４０が回転可能かつ軸方向に往復移動可能に軸支されており、ハウジング２０の一端から突出した回転軸４０に偏心ウエイト５０が取り付けられている。
【００３２】
また、回転軸４０には周面外方に向かって突出するカムピン８０が固定されており、ハウジング２０の内面にはカムピン８０の先端部が嵌り込んで摺動するカム溝９０が形成されている。このカム溝９０は、回転軸４０の回転に伴ってカムピン８０が回転すると、カムピン８０がカム溝９０内を摺動して、回転軸４０が軸方向に往復移動するような形状となっている。
【００３３】
実施例２に係る振動モータ２１０は、回転軸４０が回転すると、カムピン８０の先端部がカム溝９０内を摺動し、回転軸４０が図中左右方向に往復移動する。
【００３４】
したがって、偏心ウエイト５０が回転することにより発生する振動と、回転軸４０が軸方向に往復移動することにより発生する振動とが合成され、振動モータ２１０全体として３次元方向の振動が発生することになる。
【００３５】
なお、図２に示す例では、カムピン８０およびカム溝９０がハウジング２０内に設けられているが、これらの部材をハウジング２０の外部に配設することもできる。
【００３６】
＜実施例３＞
図３は、本発明の実施例３に係る振動モータ３１０の概略構造を示す模式図であり、図３（ａ）は、回転軸４０、偏心ウエイト５０、突起体１００、および摺動円板１１０等の部材を示したものであり、図３（ｂ）は、図３（ａ）に示す振動モータ２１０を図中左側から見た状態において、ハウジング２０の内側端面に設けた摺動円板１１０等を示すものである。
【００３７】
実施例３に係る振動モータ３１０は、図３（ａ）、（ｂ）に示すように、ハウジング２０の両端部に設けた一対の軸受部３０ａ，３０ｂにより、回転軸４０が回転可能かつ軸方向に往復移動可能に軸支されており、ハウジング２０の一端から突出した回転軸４０に偏心ウエイト５０が取り付けられている。
【００３８】
また、回転軸４０には、回転軸４０の一端側に向かって突出する突起体１００が固定されており、ハウジング２０の一端側内面には、摺動円板１１０が配設されている。この摺動円板１１０は、突起体１００の先端部が押し当てられるとともに、回転軸４０が回転した際に突起体１００の移動軌跡に沿って傾斜する傾斜面１１１を有している。すなわち、摺動円板１１０の傾斜面１１１は、回転軸４０の軸方向に対して傾斜している。
【００３９】
さらに、ハウジング２０内には、突起体１００を摺動円板１１０の傾斜面１１１に押し当てる方向に付勢する弦巻バネ１２０が配設されている。
【００４０】
実施例３に係る振動モータ２１０は、弦巻バネ１２０の付勢力により突起体１００の先端部が摺動円板１１０の傾斜面１１１に押し当てられており、回転軸４０が回転すると突起体の先端部が摺動円板１１０の傾斜面１１１に倣って回転移動するため、回転軸４０が図中左右方向に往復移動する。
【００４１】
したがって、偏心ウエイト５０が回転することにより発生する振動と、回転軸４０が軸方向に往復移動することにより発生する振動とが合成され、振動モータ３１０全体として３次元方向の振動が発生することになる。
【００４２】
なお、図３に示す例では、突起体１００、摺動円板１１０、および弦巻バネ１２０がハウジング２０内に設けられているが、これらの部材をハウジング２０の外部に配設することもできる。
【００４３】
また、付勢部材は弦巻バネ１２０に限られず、板バネ等、他の形状のバネ等を用いることができる。
【００４４】
＜携帯電話等への取り付け＞
前記実施例１〜３に係る振動モータ１０（２１０，３１０）は、図６に示すように、携帯電話の内部に収容された基板１３０等に取り付けて使用される。すなわち、図６に示すように、基板１３０に対して前記実施例１〜３に係る振動モータ１０（２１０，３１０）を取り付けることにより、１つの振動モータ１０（２１０，３１０）で３次元方向（図中、Ｘ，Ｙ，Ｚ方向）の振動を発生させることができる。
【００４５】
このように、小型の振動モータ１０（２１０，３１０）を１つのみ使用することにより３次元方向の振動を発生させることができるので、携帯電話の小型化、薄型化、および低コスト化を実現することが可能となる。
【００４６】
＜他の実施形態＞
前記実施例１〜３では、円筒型モータに、回転軸を軸方向に往復移動させるスライド手段を設けた場合を説明したが、本発明は、回転軸に偏心ウエイトを取り付けたタイプの振動モータであれば、ボタン型モータ等、どのようなタイプの振動モータにも適用することができる。
【図面の簡単な説明】
【００４７】
【図１】本発明の実施例１に係る振動モータの概略構造を示す模式図
【図２】本発明の実施例２に係る振動モータの概略構造を示す模式図
【図３】本発明の実施例３に係る振動モータの概略構造を示す模式図
【図４】本発明を適用した円筒型モータの模式図
【図５】本発明を適用したボタン型モータの模式図
【図６】本発明に係る円筒型振動モータの使用状態の説明図
【図７】従来の円筒型振動モータの使用状態の説明図
【符号の説明】
【００４８】
１０，２１０，３１０  振動モータ
２０，２２０  ハウジング
３０ａ，３０ｂ  軸受部
４０，２４０  回転軸
５０，２５０  偏心ウエイト
６０  スライド用コイル
７０  スライド用マグネット
８０  カムピン
９０  カム溝
１００  突起体
１１０  摺動円板
１１１  傾斜面
１２０  弦巻バネ
１３０，１４０  基板
４１０，５１０  従来の円筒型振動モータ
【図１】
2005334697.tif 000003
【図２】
2005334697.tif 000004
【図３】
2005334697.tif 000005
【図４】
2005334697.tif 000006
【図５】
2005334697.tif 000007
【図６】
2005334697.tif 000008
【図７】
2005334697.tif 000009